(57)【特許請求の範囲】
【請求項１】
調和空気を吹き出す吹出流路（５）を備えた空気調和装置用吹出口構造において、
前記吹出流路の出口は、断面視において、湾曲度合いが大きい案内壁（５３）と前記案内壁に対向しており湾曲度合いが小さい対向壁（５４）とが形成されることによって流路幅が拡大しており、
前記吹出流路には、前記対向壁側から前記吹出流路内に突出させることが可能な突出部材（６）が設けられており、
前記吹出流路のうち前記突出部材よりも上流側に位置しており、断面視において、流路幅が縮小する又は略同一の流路幅の部分を上流部（５１）とし、断面視において、流路幅が拡大する部分を下流部（５２）とした場合において、前記上流部の前記案内壁側の面には、前記上流部の前記案内壁側の面に沿って流れる調和空気の流れを乱流化させる乱流化部（８、９）が設けられており、
前記突出部材の突出又は非突出の切り換えのみによって、前記調和空気の風向を前記案内壁に沿う風向とする第１吹出状態と、前記調和空気の風向を前記対向壁に沿う風向とする第２吹出状態とに切り換えることができ、
前記案内壁は、前記吹出流路側に凸状に湾曲しており、前記上流部と前記下流部との境界付近の湾曲部分における曲率半径に比べて、前記境界付近の湾曲部分よりも下流側の湾曲部分における曲率半径が大きくなるように、かつ、前記下流側の湾曲部分における曲率半径だけで前記案内壁が形成される場合に比べて、前記下流部の流れ方向の長さが短くなるように、形成されている、
吹出口構造。
【請求項２】
前記乱流化部（８、９）は、前記吹出流路のうち前記案内壁（５３）及び前記対向壁（５４）によって流路幅の拡大が始まる位置よりも上流側でかつ前記案内壁側の面に設けられている、請求項１に記載の吹出口構造。
【請求項３】
前記乱流化部は、前記上流部（５１）の前記案内壁（５３）側の面から前記吹出流路（５）内に突出する凸状部（８）である、
請求項１又は２に記載の吹出口構造。
【請求項４】
前記乱流化部は、前記上流部（５１）の前記案内壁（５３）側の面に形成された凹みからなる凹み部（９）である、
請求項１又は２に記載の吹出口構造。
【発明の詳細な説明】
【技術分野】
【０００１】
本発明は、空気調和装置用吹出口構造、特に、調和空気を吹き出す吹出流路を備えた空気調和装置用吹出口における風向変更のための構成に関する。
【背景技術】
【０００２】
従来より、特許文献１（実開昭６１−１０１３１４号公報）に示されるような天井吊下型空気調和装置がある。この天井吊下型空気調和装置の吹出口には、吹出流路に回転自在に枢支された水平制御板と、吹出流路の上面に水平制御板と独立して回動する遮へい板と、吹出流路の下面を下方に向かう噴流案内曲面を有する流体案内板とが設けられている。そして、この吹出口構造では、遮へい板及び水平制御板を水平向きに回動させることによって、調和空気を水平向きに吹き出すことができる。また、この吹出口構造では、遮へい板及び水平制御板を下向きに回動させることによって、調和空気を噴流案内曲面に沿うように転向させて、調和空気を下向きに吹き出すことができる。
【０００３】
また、特許文献２（特許第４１９４４８７号公報）には、ダクト内の流体流れを２つに分配する流体分配装置が記載されている。この流体分配装置では、吸入口と２つの排出口との分岐位置において、側壁と同一平面になるように位置する状態と、側壁の内側に突き出した状態とを切り換え可能な可動壁が設けられている。この分配構造では、可動壁を側壁と同一平面になるように位置させることによって、流体を可動壁につながる第１排出口に向かって流すことができる。また、この分配構造では、可動壁を側壁の内側に突き出すことによって、流体を可動壁に対向する面に沿うように転向させて、流体を可動壁に対向する面につながる第２排出口に向かって流すことができる。
【発明の概要】
【発明が解決しようとする課題】
【０００４】
上記前者の吹出口構造及び上記後者の分配構造は、遮へい板や可動壁の操作によって、調和空気や流体流れを転向させて、調和空気の風向制御や流体流れの分配制御を行うものである。
【０００５】
しかし、上記後者の分配構造では、吸入口と２つの排出口との分岐位置に至るまでの流体流れの状態（例えば、流体流れが層流状態等）によっては、可動壁を側壁の内側に突き出す操作を行っても、流体を可動壁に対向する面に沿うように転向させることができず、その結果、第２排出口に向かって流すことができない場合がある。
【０００６】
これに対して、上記前者の吹出口構造では、上記後者の分配構造とは異なり、遮へい板だけでなく水平制御板も操作するようにしているため、調和空気を噴流案内曲面に沿うように転向させて、調和空気を下向きに吹き出すことが可能になるが、水平制御板の存在によって調和空気の圧力損失の増大が生じる。また、調和空気をすべて下向きに吹き出すために、遮へい板と水平制御板の２つの可動部品を必要とするため、構造の複雑化、ひいてはコストの増大が生じる。
【０００７】
このように、上記前者の吹出口構造及び上記後者の分配構造では、遮へい板や可動壁のような突出部材の操作のみによって、調和空気や流体流れの向きを確実に転向させることができない。
【０００８】
本発明の課題は、調和空気を吹き出す吹出流路を備えた空気調和装置用吹出口構造において、突出部材の操作のみによって調和空気の風向を確実に転向させることができるようにすることにある。
【課題を解決するための手段】
【０００９】
第１の観点にかかる空気調和装置用吹出口構造は、調和空気を吹き出す吹出流路を備えた空気調和装置用吹出口構造であり、吹出流路の出口は、断面視において、湾曲度合いが大きい案内壁と案内壁に対向しており湾曲度合いが小さい対向壁とが形成されることによって流路幅が拡大している。吹出流路には、対向壁側から吹出流路内に突出させることが可能な突出部材が設けられている。吹出流路のうち突出部材よりも上流側に位置しており、断面視において、流路幅が縮小する又は略同一の流路幅の部分を上流部とし、断面視において、流路幅が拡大する部分を下流部とした場合において、上流部の案内壁側の面には、上流部の案内壁側の面に沿って流れる調和空気の流れを乱流化させる乱流化部が設けられている。そして、この吹出口構造では、突出部材の突出又は非突出の切り換えのみによって、調和空気の風向を案内壁に沿う風向とする第１吹出状態と、調和空気の風向を対向壁に沿う風向とする第２吹出状態とに切り換えることができる。ここで、案内壁は、吹出流路側に凸状に湾曲しており、上流部と下流部との境界付近の湾曲部分における曲率半径に比べて、境界付近の湾曲部分よりも下流側の湾曲部分における曲率半径が大きくなるように、かつ、下流側の湾曲部分における曲率半径だけで案内壁が形成される場合に比べて、下流部の流れ方向の長さが短くなるように、形成されている。
【００１０】
この吹出口構造では、突出部材を対向壁側から吹出流路内に突出させない場合には、上流部から下流部へ流入する調和空気が慣性により対向壁に付着するため、案内壁側に偏向されにくい。また、このとき、乱流化部における剥離・再付着によって、乱流化部よりも下流側の案内壁の面に沿って流れる調和空気は、乱流化されるが、流入する調和空気の慣性が勝るため、案内壁側に偏向されにくい。これにより、吹出流路から吹き出される調和空気の風向は、対向壁に沿う風向である第２吹出状態になる。一方、この吹出口構造では、突出部材を対向壁側から吹出流路内に突出させる場合には、上流部から下流部へ流入する調和空気の風向が突出部材によって対向壁から剥離する方向に偏向されやすくなる。しかも、このとき、上流部の案内壁側の面に乱流化部が設けられているため、乱流化部によって、案内壁に沿って流れる調和空気が乱流化し、これにより、案内壁に沿って調和空気への周囲の空気の巻き込みが促進され、さらに、案内壁近傍において渦発生による負圧化が生じる。このため、上流部から下流部へ流入する調和空気は、突出部材の操作及び乱流化部によるコアンダ効果によって、下流側の案内壁に沿って流れようとし、これにより、調和空気の風向は、案内壁に沿う風向である第１吹出状態になる。
【００１１】
すなわち、この吹出口構造では、突出部材とともに乱流化部が設けられており、突出部材の操作のみによって調和空気の風向を確実に転向させることができるようになっている。しかも、この乱流化部は、従来の吹出口構造に採用されている水平制御板とは異なり、上流部の案内壁側の面に設けられた部分であるため、調和空気の圧力損失を増大させにくくなっている。また、従来の吹出口構造のような遮へい板及び水平制御板の２つの可動部品を必要としないため、構造の単純化、ひいてはコストの削減が可能となる。
【００１２】
このように、この吹出口構造では、突出部材の操作のみによって調和空気の風向を確実に転向させることができる。
【００１３】
第２の観点にかかる空気調和装置用吹出口構造は、第１の観点にかかる吹出口構造において、乱流化部が、吹出流路のうち案内壁及び対向壁によって流路幅の拡大が始まる位置よりも上流側でかつ案内壁側の面に設けられている。
【００１４】
例えば、乱流化部を流路幅の拡大が始まる位置よりも下流側の位置に設けた場合には、乱流化部で剥離した流れの再付着がやや不十分になり、案内壁から離れてしまう懸念があるが、ここでは、乱流化部を流路幅の拡大が始まる位置よりも上流側でかつ案内壁側の面に設けるようにしているため、調和空気の乱流化及び突出部材を対向壁から突出させたときの調和空気の風向の転向をより確実に生じさせることができる。
【００１５】
第３の観点にかかる空気調和装置用吹出口構造は、第１又は第２の観点にかかる吹出口構造において、乱流化部が、上流部の案内壁側の面から吹出流路内に突出する凸状部である。
【００１６】
この吹出口構造では、上流部の案内壁側の面において、調和空気の剥離を確実に生じさせることができ、これにより、調和空気の乱流化を効果的に促進させることができる。
【００１７】
第４の観点にかかる空気調和装置用吹出口構造は、第１又は第２の観点にかかる吹出口構造において、乱流化部が、上流部の案内壁側の面に形成された凹みからなる凹み部である。
【００１８】
この吹出口構造では、乱流化部の存在による調和空気の圧力損失の増大を抑えることができる。
【発明の効果】
【００１９】
以上の説明に述べたように、本発明によれば、以下の効果が得られる。
【００２０】
第１の観点にかかる空気調和装置用吹出口構造では、突出部材の操作のみによって調和空気の風向を確実に転向させることができる。
【００２１】
第２の観点にかかる空気調和装置用吹出口構造では、調和空気の乱流化及び突出部材を対向壁から突出させたときの調和空気の風向の転向をより確実に生じさせることができる。
【００２２】
第３の観点にかかる空気調和装置用吹出口構造では、調和空気の乱流化を効果的に促進させることができる。
【００２３】
第４の観点にかかる空気調和装置用吹出口構造では、乱流化部の存在による調和空気の圧力損失の増大を抑えることができる。
【図面の簡単な説明】
【００２４】
【図１】本発明にかかる空気調和装置用吹出口構造が採用された空気調和装置の第１実施形態としてのダクト型室内ユニットの断面図である。
【図２】図１、図１１及び図１２のＡ部の拡大図であって、突出部材及びその駆動機構を示す断面図である。
【図３】図１、図１１及び図１２のＢ部の拡大図であって、乱流化部としての凸状部を示す断面図である。
【図４】本発明にかかる突出部材及び凸状部を用いた吹出口構造を示す模式図であって、第２吹出状態を示す図である。
【図５】本発明にかかる突出部材及び凸状部を用いた吹出口構造を示す模式図であって、第１吹出状態に転向するメカニズムを示す図である。
【図６】本発明にかかる突出部材及び凸状部を用いた吹出口構造を示す模式図であって、第１吹出状態を示す図である。
【図７】凸状部の変形例（断面形状）を示す図である。
【図８】乱流化部として凹み部を用いた吹出口構造を示す変形例であって、図７に相当する図である。
【図９】凸状部及び凹状部の変形例（断面だけでは表現できない形状）を示す図である。
【図１０】本発明にかかる空気調和装置用吹出口構造が採用された空気調和装置の第２実施形態としての天井吊下型室内ユニットの断面図である。
【図１１】本発明にかかる空気調和装置用吹出口構造が採用された空気調和装置の第３実施形態としての天井埋込型室内ユニットの断面図である。
【発明を実施するための形態】
【００２５】
以下、本発明にかかる空気調和装置用吹出口構造が採用された空気調和装置としての室内ユニットの実施形態について、図面に基づいて説明する。尚、本発明にかかる空気調和装置用吹出口構造の具体的な構成は、下記の実施形態及びその変形例に限られるものではなく、発明の要旨を逸脱しない範囲で変更可能である。
【００２６】
（１）第１実施形態
＜構成＞
図１は、本発明にかかる空気調和装置用吹出口構造が採用された空気調和装置の第１実施形態としてのダクト型室内ユニット１の断面図である。図２は、図１のＡ部の拡大図であって、突出部材６及びその駆動機構７を示す断面図である。図３は、図１のＢ部の拡大図であって、乱流化部としての凸状部８を示す断面図である。図４は、本発明にかかる突出部材６及び凸状部８を用いた吹出口構造を示す模式図であって、第２吹出状態を示す図である。図５は、本発明にかかる突出部材６及び凸状部８を用いた吹出口構造を示す模式図であって、第１吹出状態に転向するメカニズムを示す図である。図６は、本発明にかかる突出部材６及び凸状部８を用いた吹出口構造を示す模式図であって、第１吹出状態を示す図である。
【００２７】
ダクト型室内ユニット１は、空調室内の天井裏空間に設置されており、主として、ダクト型室内ユニット本体１ａと、吹出ダクト１ｂと、吹出ユニット１ｃとを有している。
【００２８】
ダクト型室内ユニット本体１ａは、空調室内の天井裏空間（図１に二点鎖線で図示）に設置されており、空調室の冷房や暖房を行うためのユニットである。ダクト型室内ユニット１ａは、主として、ケーシング２と、熱交換器３と、送風ファン４とを有している。
【００２９】
ケーシング２の後方部には、図示しない吸込ダクトに接続されて空調室内の空気を吸い込むための吸込開口２ａが形成されている。ケーシング２の前方部には、調和空気を吹き出すための吹出開口２ｃが略前方を向くように形成されている。
【００３０】
送風ファン４は、シロッコファンであり、ケーシング２内に配置されている。送風ファン４は、吸込開口２ａから吹出開口２ｃに至る空気の流れに対して、熱交換器３の上流側に配置されている。送風ファン４は、吸込開口２ａから空気をケーシング２内に吸い込んで、吹出開口２ｃから吹き出す気流を生成する。送風ファン４は、熱交換器３において生成した調和空気を、吹出開口２ｃに接続された吹出ダクト１ｂ及び吹出ユニット１ｃによって形成される吹出流路５を通じて吹出ユニット１ｃの吹出口２ｂから吹き出す。
【００３１】
熱交換器３は、略矩形状の断面を有するフィンアンドチューブ型の熱交換器であり、ケーシング２内に配置されている。熱交換器３は、吸込開口２ａから吸い込まれる空気を冷房時には冷却し、暖房時には加熱することによって、調和空気を生成する。
【００３２】
吹出流路５は、熱交換器３によって生成した調和空気を吹出口２ｂに送るための流路であり、上記のように、吹出ダクト１ｂ及び吹出ユニット１ｃによって形成されている。すなわち、ここでは、熱交換器３や送風ファン４が収容されたダクト型室内ユニット本体１ａ内ではなく、その下流側に接続された吹出ダクト１ｂ及び吹出ユニット１ｃに吹出流路５が形成されている。吹出流路５は、断面視において、上流部５１と、下流部５２とを有している。
【００３３】
上流部５１は、吹出流路５のうち、上流部５１と下流部５２との境界点Ｏ１、Ｏ２から上流側の部分である。上流部５１は、調和空気が下流に向かうにつれて縮流するように湾曲した断面形状をなす縮流部５１ａを有している。縮流部５１ａの湾曲面は、正弦曲線や３次曲線をなしている。
【００３４】
下流部５２は、吹出流路５のうち、上流部５１と下流部５２との境界点Ｏ１、Ｏ２から下流側の流路幅が拡大する部分である。下流部５２は、断面視において、案内壁５３と、案内壁５３に対向する対向壁５４とを有している。
【００３５】
案内壁５３は、湾曲度合いが大きい壁面であり、略水平方向から下方向に向かって延びている。吹出流路５側に凸状に湾曲している。また、案内壁５３は、上流部５１と下流部５２との境界点Ｏ１付近の部分における曲率半径に比べて、境界点Ｏ１付近の部分よりも下流側の部分における曲率半径が大きくなるように形成されている。ここで、案内壁５３のうち上流部５１と下流部５２との境界点Ｏ１付近の部分を第１壁部５３ａとし、第１壁部５３ａにおける曲率半径を曲率半径Ｒ１とする。また、境界点Ｏ１付近の部分である第１壁部５３ａよりも下流側の部分を第２壁部５３ｂとし、第２壁部５３ｂにおける曲率半径を曲率半径Ｒ２とする。すなわち、曲率半径Ｒ２は、曲率半径Ｒ１よりも大きくなっている。そして、案内壁５３の上流側の端部は、上流部５１の縮流部５１ａの湾曲面に概ねなめらかにつながっている。
【００３６】
対向壁５４は、湾曲度合いが小さい壁面であり、略水平方向に向かって延びている。このため、下流部５２は、断面視において、片側の壁面（ここでは、案内壁５３）が吹出流路５側に凸状に湾曲することによって流路幅が拡大する形状を有していることになる。
【００３７】
また、吹出ユニット１ｃには、上流部５１と下流部５２との境界点Ｏ２付近において、対向壁５４側から吹出流路５内に突出させることが可能な突出部材６が設けられている。突出部材６は、板状の部材であり、断面視において、吹出流路５の上流部５１と下流部５２との境界点Ｏ２付近に形成された突出孔５５に挿入されている。すなわち、上流部５１は、吹出流路５のうち突出部材６よりも上流側に位置する部分であり、下流部５２は、吹出流路５のうち突出部材６よりも下流側に位置する部分である。そして、案内壁５３及び対向壁５４は、下流部５２を形成している。ここでは、突出部材６は、ラック／ピニオン方式の駆動機構７によって、吹出流路５内への突出又は非突出の切り換えを行うことができるようになっている。この駆動機構７は、突出部材６に形成されたラックギア６１と、ラックギア６１に噛み合うピニオンギア６２と、ピニオンギア６２を駆動する駆動モータ６３とを有している。尚、突出部材６を駆動するための駆動機構としては、上記のようなラック／ピニオン方式の駆動機構７ではなく、他の方式の駆動機構を採用してもよい。
【００３８】
さらに、吹出ユニット１ｃには、上流部５１の案内壁５３側の面（ここでは、縮流部５１ａの湾曲面）において、上流部５１の案内壁５３側の面に沿って流れる調和空気の流れを乱流化させる乱流化部としての凸状部８が設けられている。凸状部８は、上流部５１の案内壁５３側の面に一体形成、又は、上流部５１の案内壁５３側の面に固定されており、上流部５１の案内壁５３側の面から吹出流路５内に突出する部分である。凸状部８は、突出部材６とは異なり、常時吹出流路５内に突出した状態で駆動不能になっている。
【００３９】
＜動作及び特徴＞
本実施形態のダクト型室内ユニット１の動作について、図１〜図６を用いて説明する。
【００４０】
まず、本実施形態のダクト型室内ユニット１の吹出口構造について説明する。
【００４１】
このダクト型室内ユニット１の吹出口構造では、突出部材６を対向壁５４側から吹出流路５内に突出させない場合には、上流部５１から下流部５２へ流入する調和空気が慣性により対向壁５４に付着するため、案内壁５３側に偏向されにくい。また、このとき、乱流化部としての凸状部８における剥離・再付着によって、凸状部８よりも下流側の案内壁５３の面に沿って流れる調和空気は、乱流化されるが、流入する調和空気の慣性が勝るため、案内壁５３側に偏向されにくい。これにより、吹出流路５から吹き出される調和空気の風向は、対向壁５４に沿う風向である第２吹出状態になる。一方、このダクト型室内ユニット１の吹出口構造では、突出部材６を対向壁５４側から吹出流路５内に突出させる場合には、上流部５１から下流部５２へ流入する調和空気の風向が突出部材６によって対向壁５４から剥離する方向に偏向されやすくなる。しかも、このとき、上流部５１の案内壁５３側の面に凸状部８が設けられているため、凸状部８によって、案内壁５３に沿って流れる調和空気が案内壁５３から剥離及び再付着して乱流化し（図５におけるＣ部を参照）、これにより、案内壁５３に沿って調和空気への周囲の空気の巻き込みが促進され（図５におけるＤ部参照）、さらに、案内壁５３近傍において渦発生による負圧化が生じる（図５におけるＥ部参照）。このため、上流部５１から下流部５２へ流入する調和空気は、突出部材６の操作及び凸状部８によるコアンダ効果によって、下流側の案内壁５４に沿って流れようとし、これにより、調和空気の風向は、案内壁５３に沿う風向である第１吹出状態になる（図６参照）。
【００４２】
このように、このダクト型室内ユニット１では、突出部材６とともに乱流化部としての凸状部８が設けられており、突出部材６の操作のみによって調和空気の風向を確実に転向させることができるようになっている。しかも、この凸状部８は、従来の吹出口構造に採用されている水平制御板とは異なり、上流部５１の案内壁５３側の面に設けられた部分であるため、調和空気の圧力損失を増大させにくくなっている。また、従来の吹出口構造のような遮へい板及び水平制御板の２つの可動部品を必要としないため、構造の単純化、ひいてはコストの削減が可能となる。
【００４３】
そして、このダクト型室内ユニット１では、冷房時には、調和空気を水平向きに吹き出すことが好ましいため、突出部材６を対向壁５４側から突出させないようにして、対向壁５４に沿う風向Ｘである第２吹出状態が得られるようにしている（図１及び図４参照）。また、暖房時には、調和空気を鉛直下向きに吹き出すことが好ましいため、突出部材６を対向壁５４側から突出させて、案内壁５３に沿う風向Ｙである第１吹出状態が得られるようにしている（図１及び図６参照）。
【００４４】
このように、このダクト型室内ユニット１の吹出口構造では、突出部材６の操作のみによって調和空気の風向を確実に転向させることができるようになっている。
【００４５】
また、例えば、乱流化部としての凸状部８を、吹出流路５のうち案内壁５３及び対向壁５４によっての流路幅の拡大が始まる位置よりも下流側の位置に設けた場合には、凸状部８で剥離した流れの再付着がやや不十分になり、案内壁５３から離れてしまう懸念があるが、ここでは、凸状部８を流路幅の拡大が始まる位置よりも上流側でかつ案内壁５３側の面に設けるようにしているため、調和空気の乱流化及び突出部材６を対向壁５４から突出させたときの調和空気の風向の転向をより確実に生じさせることができるようになっている。
【００４６】
しかも、ここでは、乱流化部が、上流部５１の案内壁５３側の面から吹出流路５内に突出する凸状部８であるため、上流部５１の案内壁５３側の面において、調和空気の剥離を確実に生じさせることができ、これにより、調和空気の乱流化を効果的に促進させることができるようになっている。
【００４７】
また、このダクト型室内ユニット１では、図４〜図６に示すように、上流部５１と下流部５２との境界点Ｏ１付近の部分（ここでは、第１壁部５３ａ）における曲率半径Ｒ１に比べて、境界点Ｏ１付近の部分よりも下流側の部分（ここでは、第２壁部５３ｂ）における曲率半径Ｒ２が大きくなるように案内壁５３を形成している。これにより、このダクト型室内ユニット１では、調和空気が案内壁５３からの剥離するのを抑えつつ、下流部５２の調和空気の流れ方向の長さＬを極力短くすることができ、調和空気の風向の転向角度を大きくすることができる。但し、下流部５２の調和空気の流れ方向の長さＬを短くする必要がない場合には、案内壁５３の曲率半径を単一のものにしてもよい。
【００４８】
＜変形例＞
上記の実施形態のダクト型室内ユニット１の吹出口構造では、乱流化部として、断面視において、略長方形状の凸状部８を採用しているが、図７に示すように、略三角形状、先端が丸みを帯びた略長方形状、又は、略円形状であってもよい。
【００４９】
また、乱流化部として、凸状部８に代えて、図８に示すように、上流部５１の案内壁５３側の面に形成された凹みからなる凹み部９を採用してもよい。ここで、凹み部９の断面形状としては、椀状、柱状又は角錐状等の種々の凹み形状を採用することができる。これにより、案内壁５３に沿って流れる調和空気が剥離泡の発生により乱流化し（図８におけるＦ部を参照）、凸状部８を採用した場合と同様に、突出部材６の操作のみによって調和空気の風向を確実に転向させることができるようになっている。しかも、乱流化部として凸状部８を採用する場合に比べて、調和空気の圧力損失の増大をさらに抑えることができる。
【００５０】
さらに、乱流化部は、断面視において、奥行き方向に一律に同じ形状をしている必要はない。例えば、図９に示すように、凸状部８を採用する場合には、奥行き方向に鋸歯形状や隙歯形状等であってもよいし、凹み部９を採用する場合には、奥行き方向に、複数の凹みを並べたものであってもよい。
【００５１】
（２）第２実施形態
上記第１実施形態及びその変形例では、突出部材６及び乱流化部（凸状部８又は凹み部９）を用いた吹出口構造をダクト型室内ユニット１に採用しているが、図１０に示すように、突出部材６及び乱流化部（凸状部８又は凹み部９）を用いた吹出口構造を天井吊下型室内ユニット１０１に採用してもよい。
【００５２】
＜構成＞
天井吊下型室内ユニット１０１は、空調室内の天井面に設置されており、空調室の冷房や暖房を行うためのユニットである。天井吊下型室内ユニット１は、主として、ケーシング１０２と、熱交換器１０３と、送風ファン１０４とを有している。
【００５３】
ケーシング１０２の後方部には、空調室内の空気を吸い込むための吸込口１０２ａが形成されている。ケーシング１０２の前方部には、調和空気を吹き出すための吹出口１０２ｂが略前方を向くように形成されている。
【００５４】
送風ファン１０４は、シロッコファンであり、ケーシング１０２内に配置されている。送風ファン１０４は、吸込口１０２ａから吹出口１０２ｂに至る空気の流れに対して、熱交換器１０３の上流側に配置されている。送風ファン１０４は、吸込口１０２ａから空気をケーシング１０２内に吸い込んで、吹出口１０２ｂから吹き出す気流を生成する。送風ファン１０４は、熱交換器１０３において生成した調和空気を吹出流路５を通じて吹出口１０２ｂから吹き出す。
【００５５】
熱交換器１０３は、略矩形状の断面を有するフィンアンドチューブ型の熱交換器であり、ケーシング１０２内に配置されている。熱交換器１０３は、吸込口１０２ａから吸い込まれる空気を冷房時には冷却し、暖房時には加熱することによって、調和空気を生成する。
【００５６】
吹出流路５は、熱交換器１０３によって生成した調和空気を吹出口１０２ｂに送るための流路である。吹出流路５は、断面視において、上流部５１と、下流部５２とを有している。上流部５１は、上記第１実施形態のダクト型室内ユニット１と同様に、上流部５１と下流部５２との境界点Ｏ１、Ｏ２から上流側の部分である。但し、ここでは、上記第１実施形態のダクト型室内ユニット１の上流部５１とは異なり、上流部５１は、略同一の流路幅を有している。尚、上流部５１を除く吹出流路５の構成は、上記第１実施形態のダクト型室内ユニット１の吹出流路５と同様であるため、ここでは、説明を省略する。
【００５７】
また、天井吊下型室内ユニット１０１は、上流部５１と下流部５２との境界点Ｏ２付近において、対向壁５４側から吹出流路５内に突出させることが可能な突出部材６が設けられている。さらに、上流部５１の案内壁５３側の面において、上流部５１の案内壁５３側の面に沿って流れる調和空気の流れを乱流化させる乱流化部（ここでは、凸状部８）が設けられている。尚、突出部材６及び乱流化部の構成は、上記第１実施形態のダクト型室内ユニット１の突出部材６及び乱流化部の構成と同様であるため、ここでは、説明を省略する。
【００５８】
＜動作及び特徴＞
本実施形態の天井吊下型室内ユニット１０１では、上記第１実施形態のダクト型室内ユニット１と同様に、冷房時には、調和空気を水平向きに吹き出すことが好ましいため、突出部材６を対向壁５４側から突出させないようにして、対向壁５４に沿う風向Ｘである第２吹出状態が得られるようにしている。また、暖房時には、調和空気を鉛直下向きに吹き出すことが好ましいため、突出部材６を対向壁５４側から突出させて、案内壁５３に沿う風向Ｙである第１吹出状態が得られるようにしている。
【００５９】
このような本実施形態の天井吊下型室内ユニット１０１においても、上記第１実施形態のダクト型室内ユニット１と同様の作用効果を得ることができる。尚、図１０においては、乱流化部として、凸状部８を採用した例を図示しているが、乱流化部として、凹み部９を採用してもよいし、また、上記第１実施形態の変形例のように、乱流化部として種々の形状を採用してもよい。
【００６０】
（３）第３実施形態
上記第１、第２実施形態及びその変形例では、突出部材６及び乱流化部（凸状部８又は凹み部９）を用いた吹出口構造をダクト型室内ユニット１や天井吊下型室内ユニット１０１に採用しているが、図１１に示すように、突出部材６及び乱流化部（凸状部８又は凹み部９）を用いた吹出口構造を天井埋込型室内ユニット２０１に採用してもよい。
【００６１】
＜構成＞
天井埋込型室内ユニット２０１は、空調室内の天井面に設置されており、空調室の冷房や暖房を行うためのユニットである。天井埋込型室内ユニット２０１は、主として、ケーシング２０２と、熱交換器２０３と、送風ファン２０４とを有している。
【００６２】
ケーシング２０２は、ケーシング本体２１１と、ケーシング本体２１１の下面に装着される化粧パネル２１２とを有している。化粧パネル２１２の平面視略中央には、空調室内の空気を吸い込むための吸込口２０２ａが形成されている。化粧パネル２１２には、調和空気を吹き出すための吹出口２０２ｂが、吸込口２０２ａを取り囲み、かつ、略下方を向くように形成されている。
【００６３】
送風ファン２０４は、ターボファンであり、ケーシング２０２内に配置されている。送風ファン２０４は、吸込口２０２ａから吹出口２０２ｂに至る空気の流れに対して、熱交換器２０３の上流側に配置されている。送風ファン２０４は、吸込口２０２ａから空気をケーシング２０２内に吸い込んで、吹出口２０２ｂから吹き出す気流を生成する。送風ファン２０４は、熱交換器２０３において生成した調和空気を吹出流路５を通じて吹出口２０２ｂから吹き出す。
【００６４】
熱交換器２０３は、略矩形状の断面を有するフィンアンドチューブ型の熱交換器であり、ケーシング２０２内に送風ファン２０４を取り囲むように配置されている。熱交換器２０３は、吸込口２０２ａから吸い込まれる空気を冷房時には冷却し、暖房時には加熱することによって、調和空気を生成する。
【００６５】
吹出流路５は、熱交換器２０３によって生成した調和空気を吹出口２０２ｂに送るための流路である。吹出流路５は、断面視において、上流部５１と、下流部５２とを有している。但し、ここでは、吹出流路５の構成は、対向壁５４が湾曲している点に違いがあるが、この点を除いては、上記第１、第２実施形態のダクト型室内ユニット１や天井吊下型室内ユニット１０１の吹出流路５と同様であるため、ここでは、説明を省略する。
【００６６】
また、天井埋込型室内ユニット２０１は、上流部５１と下流部５２との境界点Ｏ２付近において、対向壁５４側から吹出流路５内に突出させることが可能な突出部材６を有している。さらに、上流部５１の案内壁５３側の面において、上流部５１の案内壁５３側の面に沿って流れる調和空気の流れを乱流化させる乱流化部（ここでは、凸状部８）が設けられている。尚、突出部材６及び乱流化部の構成は、上記第１、第２実施形態のダクト型室内ユニット１や天井吊下型室内ユニット１０１の突出部材６及び乱流化部の構成と同様であるため、ここでは、説明を省略する。
【００６７】
＜動作及び特徴＞
本実施形態の天井埋込型室内ユニット２０１では、上記第１、第２実施形態のダクト型室内ユニット１や天井吊下型室内ユニット１０１とは異なり、略下方を向く吹出口２０２ｂであることから、案内壁５３が下方向から略水平方向に向かって延びるように形成されており、対向壁５４が略下方向に延びるように形成されている。そして、冷房時には、調和空気を水平向きに吹き出すことが好ましいため、突出部材６を対向壁５４側から突出させて、案内壁５３に沿う風向Ｙである第１吹出状態が得られるようにしている。また、暖房時には、調和空気を鉛直下向きに吹き出すことが好ましいため、突出部材６を対向壁５４側から突出させないようにして、対向壁５４に沿う風向Ｘである第２吹出状態が得られるようにしている。
【００６８】
このような本実施形態の天井埋込型室内ユニット２０１においても、上記第１、第２実施形態のダクト型室内ユニット１や天井吊下型室内ユニット１０１と同様の作用効果を得ることができる。尚、図１１においては、乱流化部として、凸状部８を採用した例を図示しているが、乱流化部として、凹み部９を採用してもよいし、また、上記第１実施形態の変形例のように、乱流化部として種々の形状を採用してもよい。
【産業上の利用可能性】
【００６９】
本発明は、調和空気を吹き出す吹出流路を備えた空気調和装置用吹出口に広く適用可能である。
【符号の説明】
【００７０】
１  ダクト型室内ユニット
５  吹出流路
６  突出部材
８  凸状部（乱流化部）
９  凹み部（乱流化部）
５１  上流部
５３  案内壁
５４  対向壁
１０１  天井吊下型室内ユニット
２０１  天井埋込型室内ユニット
【先行技術文献】
【特許文献】
【００７１】
【特許文献１】実開昭６１−１０１３１４号公報
【特許文献２】特許第４１９４４８７号公報
【図１】
0005640738.tif 000002
【図２】
0005640738.tif 000003
【図３】
0005640738.tif 000004
【図４】
0005640738.tif 000005
【図５】
0005640738.tif 000006
【図６】
0005640738.tif 000007
【図７】
0005640738.tif 000008
【図８】
0005640738.tif 000009
【図９】
0005640738.tif 000010
【図１０】
0005640738.tif 000011
【図１１】
0005640738.tif 000012